(57)【要約】  電子機器本体１の一側面に設けた挿通口１５を介して、前記電子機器本体１の内部部品と前記電子機器本体１の一側面から進退自在に設けられたパネル部２とをフレキシブルケーブル３で接続する構造において、前記挿通口１５の開口縁部に設けられ、前記挿通口１５から前記電子機器本体１の外側に出た前記フレキシブルケーブル３を所定方向（上方向）にガイドして、当該フレキシブルケーブル３の撓みを規制するケーブルガイド１６を備えたことにより、パネル部２が開いた状態であってもフレキシブルケーブル３が下方へ垂れ下がることがないので、パネル部２の開閉によりフレキシブルケーブル３がパネル部２と機器本体１との間に挟み込まれることがなく、また、パネル部２の開閉動作時にフレキシブルケーブル３が反転して異音が発生することもない。
2013114457.tif 000002
【特許請求の範囲】
【請求項１】
電子機器本体の一側面に設けた挿通口を介して、前記電子機器本体の内部部品と前記電子機器本体の一側面から進退自在に設けられたパネル部とをフレキシブルケーブルで接続する構造において、
前記挿通口の開口縁部に設けられ、前記挿通口から前記電子機器本体の外側に出た前記フレキシブルケーブルを所定方向にガイドして、当該フレキシブルケーブルの撓みを規制するケーブルガイドを備えた
ことを特徴とするフレキシブルケーブル撓み規制構造。
【請求項２】
前記ケーブルガイドは、前記挿通口の開口縁部において前記所定方向に突出した突出部であることを特徴とする請求項１記載のフレキシブルケーブル撓み規制構造。
【請求項３】
前記突出部の前記電子機器本体の内側に、前記電子機器本体の内部で撓んだ前記フレキシブルケーブルが当接する当たり面を備えたことを特徴とする請求項２記載のフレキシブルケーブル撓み規制構造。
【請求項４】
請求項１記載のフレキシブルケーブル撓み規制構造を備えた電子機器。
【発明の詳細な説明】
【技術分野】
【０００１】
この発明は、機器本体とパネル部とを接続するフレキシブルケーブルの撓み規制構造およびそれを備えた電子機器に関するものである。
【背景技術】
【０００２】
一般的に、カーナビやオーディオなど、開閉動作を行うパネル部を搭載した電子機器においては、パネル部に機器本体からフレキシブルケーブルが接続されている。この際、機器本体のパネル部搭載面には、フレキシブルケーブルの挿通口が設けられている。
例えば、特許文献１には、フロントパネル２の裏側と機器本体１との間がフイルムケーブル３で接続され、機器本体１の前面（パネルが閉じた状態においてフロントパネル２が搭載される面）にケーブル受け入れ口５を備えた車載用モニタ装置が開示されている。
【先行技術文献】
【特許文献】
【０００３】
【特許文献１】特開２００３−９５０３０号公報
【発明の概要】
【発明が解決しようとする課題】
【０００４】
しかしながら、従来技術におけるフレキシブルケール挿通口では、パネル部が開いた時にフレキシブルケーブルが下方へ垂れ下がり、パネル部が閉じた際にパネル部と機器本体との間に垂れ下がったフレキシブルケーブルが挟み込まれるという課題があった。また、フレキシブルケーブルが挟み込まれない場合であっても、垂れ下がったフレキシブルケーブルが、パネル部の開閉動作時に反転して、この際に反転音と呼ばれる異音が発生するという課題もあった。【０００５】
この発明は、上記のような課題を解決するためになされたものであり、パネル部が開いた状態であってもフレキシブルケーブルが下方へ垂れ下がることのないフレキシブルケーブル撓み規制構造およびそれを備えた電子機器を提供することを目的とする。
【課題を解決するための手段】
【０００６】
上記目的を達成するため、この発明は、電子機器本体の一側面に設けた挿通口を介して、前記電子機器本体の内部部品と前記電子機器本体の一側面から進退自在に設けられたパネル部とをフレキシブルケーブルで接続する構造において、前記挿通口の開口縁部に設けられ、前記挿通口から前記電子機器本体の外側に出た前記フレキシブルケーブルを所定方向にガイドして、当該フレキシブルケーブルの撓みを規制するケーブルガイドを備えたことを特徴とする。
【発明の効果】
【０００７】
この発明のフレキシブルケーブル撓み規制構造およびそれを備えた電子機器によれば、パネル部が開いた状態であってもフレキシブルケーブルが下方へ垂れ下がることがないので、パネル部の開閉によりフレキシブルケーブルがパネル部と機器本体との間に挟み込まれることがなく、また、パネル部の開閉動作時にフレキシブルケーブルが反転して異音が発生することもない。
【図面の簡単な説明】
【０００８】
【図１】電子機器本体にパネル部が閉じて搭載されている全体斜視図である。
【図２】電子機器本体の一側面（前面）に備えられた挿通口から、フレキシブルケーブルが電子機器本体の外側に出ている様子を示す概略図である。
【図３】従来の電子機器本体にパネル部が閉じて搭載されている時のフレキシブルケーブルの状態を示す断面図である。
【図４】パネル部を開いた時の、従来の電子機器本体とパネル部とを接続するフレキシブルケーブルの状態を示す断面図である。
【図５】図４に示す状態からパネル部２を徐々に閉じていった場合に、フレキシブルケーブルが反転した状態を示す図である。
【図６】この発明の実施の形態１における電子機器本体にパネル部が閉じて搭載されている時のフレキシブルケーブルの状態を示す断面図である。
【図７】パネル部２を開いた時の、この発明の実施の形態１における電子機器本体とパネル部とを接続するフレキシブルケーブルの状態を示す断面図である。
【図８】実施の形態１における挿通口の開口縁部の下辺面に設けるケーブルガイドの別の例を示す図である。
【図９】実施の形態１における挿通口の開口縁部の下辺面に設けるケーブルガイドのさらに別の例を示す図である。
【発明を実施するための形態】
【０００９】
以下、この発明の実施の形態について、図面を参照しながら詳細に説明する。
実施の形態１．
図１は、この発明の実施の形態１における電子機器本体１にパネル部２が閉じて搭載されている全体斜視図である。電子機器本体１とパネル部２とは、フレキシブルケーブル３により接続されている。図２は、電子機器本体１の一側面（前面）１１に備えられた挿通口１２から、フレキシブルケーブル３が電子機器本体１の外側に出ている様子を示す概略図である。そして、このフレキシブルケーブル３が、電子機器本体１の一側面（前面）１１に設けた挿通口１２を介して、電子機器本体１の内部部品と電子機器本体１の一側面（前面）１１から進退自在に設けられたパネル部とを接続する構造となっている。
【００１０】
ここで、従来の電子機器本体１とパネル部２とにおいて、パネル部２を開閉した際のフレキシブルケーブル３の状態について、図３〜図５を参照しながら説明する。
図３は、従来の電子機器本体１にパネル部２が閉じて搭載されている時のフレキシブルケーブル３の状態を示す断面図である。そして、図３に示すように、開閉動作を行うパネル部２が閉じている状態では、フレキシブルケーブル３は電子機器本体１とパネル部２との隙間に収納されている。
【００１１】
図４は、パネル部２を開いた時の従来の電子機器本体１とパネル部２とを接続するフレキシブルケーブル３の状態を示す断面図である。なお、図４（ｂ）は図４（ａ）のＡ部分の拡大詳細図、図４（ｃ）は図４（ｂ）のＢ部分の拡大詳細図である。
パネル部２と電子機器本体１とを接続しているフレキシブルケーブル３は、電子機器本体１側では、本体内部の基板に搭載されているコネクター２１に差し込まれている。フレキシブルケーブル３は、電子機器本体１内部のコネクター２１から挿通口１２を介して外部へ飛び出し、パネル部２の内部へ侵入し、パネル部２の内部に搭載されている基板コネクター２２に差し込まれる。
【００１２】
挿通口１２は、図２に示すようにフレキシブルケーブル３を通すだけの大きさおよび形状を有しており、正面から見れば横方向の寸法が長い矩形状の開口である。すなわち、正面から見れば、寸法の長い上辺と下辺、および寸法の短い右辺と左辺との四辺からなる矩形状の開口である。そして、横から見た断面図は図４に示すとおりであり、挿通口１２の開口縁部の上辺面１３と下辺面１４との間をフレキシブルケーブル３が挿通する。
【００１３】
ここで、従来の電子機器本体１においては、挿通口１２の開口縁部の下辺面１４は上面が平らな形状を有している。すなわち、従来の挿通口１２は、フレキシブルケーブル３が電子機器本体１の内部から外部へ飛び出し、パネル部２と接続する通し穴のみの役割を有していた。
また、フレキシブルケーブル３が電子機器本体１の内部から外部へ飛び出す際、フレキシブルケーブル３を固定するコネクター２１の差込口は下方向であり、フレキシブルケーブル３のテンションが下方向へかかる構造となっていた。
【００１４】
そのため、図４に示すように、パネル部２を開いた時には、電子機器本体部１とパネル部２との間の外部空間において、フレキシブルケーブル３は下方に垂れ下がった状態になってしまっている。なお、図４（ｃ）の矢印Ｃは、フレキシブルケーブル３が電子機器本体１の内部から引き出された際に、フレキシブルケーブル３にかかるテンションの方向を示すものである。
【００１５】
そして、図５は、図４に示す状態から、パネル部２を徐々に閉じていった場合に、フレキシブルケーブル３が反転音と呼ばれる異音を立てて反転した状態を示す図である。なお、図５（ｂ）は、図５（ａ）のＤ部分の拡大詳細図である。
図５（ｂ）の二点鎖線は、図４（ｂ）に示したフレキシブルケーブル３の位置を示しており、図４に示す位置から図５に示す位置までパネル部２を閉じた時に、二点鎖線の状態から実線の状態にフレキシブルケーブル３が急に反転し、反転音と呼ばれる異音が発生する。
【００１６】
そこで、この発明では、図４のようにパネル部２を開いた時であっても、フレキシブルケーブル３が下方に垂れ下がることを防止し、挿通口１２の開口縁部の下辺面に、電子機器本体１の外側に出たフレキシブルケーブル３を上方（所定方向）にガイドして、フレキシブルケーブル３の撓みを規制するケーブルガイドを設けることとした。
【００１７】
この実施の形態に１に係る電子機器本体１とパネル部２とにおいて、パネル部２を開閉した際のフレキシブルケーブル３の状態について、図６および図７を参照しながら説明する。
図６は、この発明の実施の形態１において、電子機器本体１にパネル部２が閉じて搭載されている時のフレキシブルケーブル３の状態を示す断面図である。そして、従来の図３で示した状態と同じように、開閉動作を行うパネル部２が閉じている状態では、フレキシブルケーブル３は電子機器本体１とパネル部２との隙間に収納されている。
【００１８】
図７は、従来の図４と同じようにパネル部２を開いた時の、この発明の実施の形態１における電子機器本体１とパネル部２とを接続するフレキシブルケーブル３の状態を示す断面図である。なお、図７（ｂ）は図７（ａ）のＥ部分の拡大詳細図、図７（ｃ）は図７（ｂ）のＦ部分の拡大詳細図である。
パネル部２と電子機器本体１とを接続しているフレキシブルケーブル３は、電子機器本体１側では、本体内部の基板に搭載されているコネクター２１に差し込まれている。フレキシブルケーブル３は、電子機器本体１内部のコネクター２１から電子機器本体１の一側面（前面）１１に備えられた挿通口１５を介して外部へ飛び出し、パネル部２の内部へ侵入し、パネル部２の内部に搭載されている基板コネクター２２に差し込まれる。
【００１９】
挿通口１５は、正面から見た場合には、図２に示す従来の挿通口１２と同じ大きさおよび形状、すなわち、正面から見れば、寸法の長い上辺と下辺、および寸法の短い右辺と左辺との四辺からなる矩形状の開口である。また、横から見た断面図は図７に示すとおりであり、挿通口１５の開口縁部の下辺面に設けられたケーブルガイド１６が、従来の挿通口１２の開口縁部の下辺面１４とは異なる形状となっている。そして、この挿通口１５の開口縁部の上辺面１３と下辺面に設けられたケーブルガイド１６との間をフレキシブルケーブル３が挿通する。
【００２０】
この発明の実施の形態１における挿通口１５の開口縁部の下辺面に設けられたケーブルガイド１６は、図７（ｃ）に示すとおり、電子機器本体１の一側面（前面）１１側が上方向（所定方向）に突出している。すなわち、ケーブルガイド１６は、挿通口１５の開口縁部において上方向（所定方向）に突出した突出部１７を有している。また、この突出部１７の電子機器本体１の内側には、電子機器本体１の内部で撓んだフレキシブルケーブル３が当接する当たり面１８を備えている。この当たり面１８は突出部１７より下段にある水平面であり、これら突出部１７および当たり面１８が、この発明の実施の形態１におけるケーブルガイド１６を構成している。
【００２１】
そして、図７に示すようにパネル部２を開いた時、フレキシブルケーブル３が挿通口１５を通過する際に、フレキシブルケーブル３はまず当たり面１８に当接する。すなわち、当たり面１８がフレキシブルケーブル３の受け面となる。それとともに、フレキシブルケーブル３は突出部１７と接触するため、この当たり面１８と突出部１７とによって、フレキシブルケーブル３がＵ字状に屈曲する形になる。この結果、フレキシブルケーブル３は図７（ｃ）の矢印Ｇに示すように、上方向（所定方向）にテンションがかかって導かれる。
【００２２】
このように、パネル部２を完全に開いた状態であっても、フレキシブルケーブル３が下方に垂れ下がることがなく、上方（所定方向）にガイドされる。そのため、図７に示す状態から徐々にパネル部２を閉じていった場合であっても、最初からフレキシブルケーブル３は上方（所定方向）にガイドされて撓みが規制されているため、フレキシブルケーブル３が反転することもなく、異音を発生することもない。
【００２３】
なお、挿通口１５の開口縁部の下辺面に設けるケーブルガイド１６としては、図７に示す突出部１７および当たり面１８以外にも、様々な形状のものが考えられる。図８は、挿通口１５の開口縁部の下辺面に設けるケーブルガイド１６の別の例を示す図である。また図９は、挿通口１５の開口縁部の下辺面に設けるケーブルガイド１６のさらに別の例を示す図である。
すなわち、挿通口１５の開口縁部の下辺面に設けるケーブルガイド１６としては、例えば、図８（ａ），図８（ｂ），図８（ｃ）に示すものなど、電子機器本体１の外側に出たフレキシブルケーブル３を上方（所定方向）にガイドして、フレキシブルケーブル３の撓みを規制することが可能な形状であれば、どのような形状であっても構わない。
【００２４】
また、例えば図９に示すように、電子機器本体１の一側面（前面）１１側が上方向（所定方向）に突出している突出部１７、すなわち、挿通口１５の開口縁部において上方向（所定方向）に突出した突出部１７のみを有し、突出部１７の電子機器本体１の内側に当たり面１８は有しておらず、突出部１７が電子機器本体１の一側面（前面）１１側から内側方向に向けて下降する斜面を有するケーブルガイド１６であっても構わない。この図９に示す形状のケーブルガイド１６であっても、その斜面の斜め具合とケーブルガイド１６の大きさ（幅）とを調整することにより、フレキシブルケーブル３が挿通口１５を通過する際に、その斜面がフレキシブルケーブル３の受け面となって、電子機器本体１の外側に出たフレキシブルケーブル３を上方（所定方向）にガイドして、フレキシブルケーブル３の撓みを規制することができる。
【００２５】
以上のように、この実施の形態１によれば、電子機器本体の一側面に設けられたフレキシブルケーブルが挿通する挿通口の開口縁部の下辺面に、電子機器本体の挿通口から電子機器本体の外側に出たフレキシブルケーブルを上方（所定方向）にガイドしてフレキシブルケーブルの撓みを規制するケーブルガイドを設けたことにより、パネル部が開いた状態であってもフレキシブルケーブルが下方へ垂れ下がることがないので、パネル部の開閉によりフレキシブルケーブルがパネル部と機器本体との間に挟み込まれることがなく、また、パネル部の開閉動作時にフレキシブルケーブルが反転して異音が発生することもない。
【００２６】
なお、本願発明はその発明の範囲内において、実施の形態の任意の構成要素の変形、もしくは実施の形態の任意の構成要素の省略が可能である。
【産業上の利用可能性】
【００２７】
以上のように、この発明に係るフレキシブルケーブル撓み規制構造は、開閉動作を行うパネル部をフレキシブルケーブルで接続したカーナビやオーディオなどの電子機器に適用することができる。
【符号の説明】
【００２８】
１  電子機器本体、２  パネル部、３  フレキシブルケーブル、１１  電子機器本体１の一側面（前面）、１２，１５  挿通口、１３  挿通口（１２，１５）の開口縁部の上辺面、１４  挿通口１２の開口縁部の下辺面、１６  挿通口１５の開口縁部の下辺面に設けられたケーブルガイド、１７  突出部、１８  当たり面、２１，２２  コネクター。
【図１】
2013114457.tif 000003
【図２】
2013114457.tif 000004
【図３】
2013114457.tif 000005
【図４】
2013114457.tif 000006
【図５】
2013114457.tif 000007
【図６】
2013114457.tif 000008
【図７】
2013114457.tif 000009
【図８】
2013114457.tif 000010
【図９】
2013114457.tif 000011
【手続補正書】
【提出日】平成26年1月23日(2014.1.23)
【手続補正１】
【補正対象書類名】明細書
【補正対象項目名】０００６
【補正方法】変更
【補正の内容】
【０００６】
上記目的を達成するため、この発明は、電子機器本体の一側面に設けた挿通口を介して、前記電子機器本体の内部部品と前記電子機器本体の一側面から進退自在に設けられたパネル部とをフレキシブルケーブルで接続する構造において、前記挿通口の開口縁部に設けられ、前記挿通口から前記電子機器本体の外側に出た前記フレキシブルケーブルを所定方向にガイドして、当該フレキシブルケーブルの撓みを規制し、かつパネル部開閉動作時に当該フレキシブルケーブルの撓みが反転して異音が発生することを防止するケーブルガイドを備えたことを特徴とする。
【手続補正２】
【補正対象書類名】特許請求の範囲
【補正対象項目名】全文
【補正方法】変更
【補正の内容】
【特許請求の範囲】
【請求項１】
電子機器本体の一側面に設けた挿通口を介して、前記電子機器本体の内部部品と前記電子機器本体の一側面から進退自在に設けられたパネル部とをフレキシブルケーブルで接続する構造において、
前記挿通口の開口縁部に設けられ、前記挿通口から前記電子機器本体の外側に出た前記フレキシブルケーブルを所定方向にガイドして、当該フレキシブルケーブルの撓みを規制し、かつ前記パネル部開閉動作時に当該フレキシブルケーブルの撓みが反転して異音が発生することを防止するケーブルガイドを備えた
ことを特徴とするフレキシブルケーブル撓み規制構造。
【請求項２】
前記ケーブルガイドは、前記挿通口の開口縁部において前記所定方向に突出した突出部であることを特徴とする請求項１記載のフレキシブルケーブル撓み規制構造。
【請求項３】
前記突出部の前記電子機器本体の内側に、前記電子機器本体の内部で撓んだ前記フレキシブルケーブルが当接する当たり面を備えたことを特徴とする請求項２記載のフレキシブルケーブル撓み規制構造。
【請求項４】
請求項１記載のフレキシブルケーブル撓み規制構造を備えた電子機器。
【手続補正書】
【提出日】平成27年1月23日(2015.1.23)
【手続補正２】
【補正対象書類名】明細書
【補正対象項目名】０００１
【補正方法】変更
【補正の内容】
【０００１】
この発明は、車載電子機器本体とパネル部とを接続するフレキシブルケーブルの撓み規制構造およびそれを備えた車載電子機器に関するものである。
【手続補正３】
【補正対象書類名】明細書
【補正対象項目名】０００５
【補正方法】変更
【補正の内容】
【０００５】
この発明は、上記のような課題を解決するためになされたものであり、パネル部が開いた状態であってもフレキシブルケーブルが下方へ垂れ下がることのないフレキシブルケーブル撓み規制構造およびそれを備えた車載電子機器を提供することを目的とする。
【手続補正４】
【補正対象書類名】明細書
【補正対象項目名】０００６
【補正方法】変更
【補正の内容】
【０００６】
上記目的を達成するため、この発明は、車載電子機器本体とパネル部とを有し、前記パネル部は前記車載電子機器本体の一側面と平行な状態からスライド部材を介して前記車載電子機器本体の一側面との角度を変化させながらスライドし、前記車載電子機器本体と、前記パネル部とを、前記車載電子機器本体の挿通口を介して、フレキシブルケーブルで接続する構造において、前記挿通口の開口縁部の下辺部に設けられ、前記挿通口から前記車載電子機器本体の外側に出た前記フレキシブルケーブルを前記挿通口の開口縁部の上辺部の方向にガイドして、当該フレキシブルケーブルの撓みを規制し、かつパネル部開閉動作時に当該フレキシブルケーブルの撓みが反転して異音が発生することを防止するケーブルガイドを備え、前記ケーブルガイドは、前記挿通口の開口縁部において前記挿通口の開口縁部の上辺部の方向に突出した突出部、及び前記突出部の前記車載電子機器本体の内側に前記車載電子機器本体の内部で撓んだ前記フレキシブルケーブルが当接する当たり面を有し、前記当たり面と前記突出部によって当該フレキシブルケーブルをＵ字状に屈曲させることを特徴とする。
【手続補正５】
【補正対象書類名】特許請求の範囲
【補正対象項目名】全文
【補正方法】変更
【補正の内容】
【特許請求の範囲】
【請求項１】
車載電子機器本体とパネル部とを有し、前記パネル部は前記車載電子機器本体の一側面と平行な状態からスライド部材を介して前記車載電子機器本体の一側面との角度を変化させながらスライドし、前記車載電子機器本体と、前記パネル部とを、前記車載電子機器本体の挿通口を介して、フレキシブルケーブルで接続する構造において、
前記挿通口の開口縁部の下辺部に設けられ、前記挿通口から前記車載電子機器本体の外側に出た前記フレキシブルケーブルを前記挿通口の開口縁部の上辺部の方向にガイドして、当該フレキシブルケーブルの撓みを規制し、かつ前記パネル部開閉動作時に当該フレキシブルケーブルの撓みが反転して異音が発生することを防止するケーブルガイドを備え、
前記ケーブルガイドは、前記挿通口の開口縁部において前記挿通口の開口縁部の上辺部の方向に突出した突出部、及び前記突出部の前記車載電子機器本体の内側に前記車載電子機器本体の内部で撓んだ前記フレキシブルケーブルが当接する当たり面を有し、前記当たり面と前記突出部によって当該フレキシブルケーブルをＵ字状に屈曲させることを特徴とするフレキシブルケーブル撓み規制構造。
【請求項２】
請求項１記載のフレキシブルケーブル撓み規制構造を備えた車載電子機器。
【国際調査報告】
2013114457.tif 000012
2013114457.tif 000013
2013114457.tif 000014
2013114457.tif 000015